(57)【要約】【課題】カバーが大型化することなく高い吸音性能を有する屋外フードを提供する。【解決手段】消音材１０に、第１の風路部９ａ、屈曲部９ｂ、及び第２の風路部９ｄとからなる風路本体部と、これに付加された風路拡張部とが形成されている。風路拡張部は、屈曲部９ｂの第１の風路部９ａに対向する側に第１の方向奥に延びて形成された第１の拡張部９ｃと、屈曲部９ｂと第２の風路部９ｄとの連通開口より第１の方向奥側の領域において、第１の拡張部の側部から第２の風路部９ｄと反対方向に延びて形成された第２の拡張部９ｆとを有する。これにより、騒音の消音材に衝突する回数が増え、減衰効果が増し、高い騒音低減効果が得られるとともに、風路本体部の流通断面積が急拡大及び急縮小することがなく、流通断面積の急拡大及び急縮小による圧力損失性能悪化の影響を削減することができる。【選択図】図９
2010266156.tif 000002
【特許請求の範囲】
【請求項１】
屋内と屋外とを隔てる壁を貫通する換気口の屋外側に設置される屋外フードであって、
カバーと、前記カバー内に装填されて風路を形成するとともに前記風路内に侵入する音を吸収する消音材とを備え、
前記風路は、室外側開口と室内側開口との間に折れ曲がって形成された前記風路本体部と、前記風路本体部の内部空間が一部拡大されて形成された風路拡張部とを含み、前記風路本体部は、前記室外側開口から第１の方向に延びる第１の風路部と、前記第１の風路部から第１の方向とほぼ直交する第２の方向に折れ曲がる屈曲部と、前記屈曲部から前記室内側開口に延びる第２の風路部とを有し、前記風路拡張部は、前記屈曲部の前記第１の風路部に対向する側に第１の方向奥に延びて形成された第１の拡張部と、前記屈曲部と前記第２の風路部との連通開口より第１の方向奥側の領域において、前記第１の拡張部の側部から前記第２の風路部と反対方向に延びて形成された第２の拡張部とを有することを特徴とする屋外フード。
【請求項２】
前記風路本体部と前記風路拡張部とは、ほぼ通路の全長にわたって前記消音材に囲まれて形成されていることを特徴とする請求項１に記載の屋外フード。
【請求項３】
前記風路本体部は、ほぼ通路の全長にわたって流通断面積がほぼ一定であることを特徴とする請求項１または２に記載の屋外フード。
【請求項４】
前記消音材は、前記風路となる中央穴が形成された平板状の部材と、前記風路となる切り欠きが形成された平板状の部材とが積み重ねられて構成されていることを特徴とする請求項１から３のいずれか１項に記載の屋外フード。
【請求項５】
前記消音材は、異なる形状の複数の平板状の板材が前記風路を形成するように組み合わされて構成され、前記カバーの内壁面に貼設されていることを特徴とする請求項１から３のいずれか１項に記載の屋外フード。
【請求項６】
前記消音材を構成する、前記積み重ねられた複数の部材或いは前記組み合わされた複数の部材は、それぞれ前記風路の形状変化部の境目で分割されていることを特徴とする請求項４または５に記載の屋外フード。
【請求項７】
前記風路の前記第２の風路部の流通断面積は、前記第２の風路部の室内側に連通する前記パイプガイドの開口面積より小さいことを特徴とする請求項１から６のいずれか１項に記載の屋外フード。
【請求項８】
前記カバーの前記屋外側開口端部に前記消音材の下面を支える支持手段を設けたことを特徴とする請求項１から７のいずれか１項に記載の屋外フード。
【請求項９】
前記支持手段は、前記室内側開口を覆うように設けられたギャラリまたは網であることを特徴とする請求項８に記載の屋外フード。
【請求項１０】
前記第１の風路部及び前記屈曲部は、前記第２の風路部と反対側の内面を円弧状の曲面とすることを特徴とする請求項１から９のいずれか１項に記載の屋外フード。
【発明の詳細な説明】
【技術分野】
【０００１】
換気口からの雨水浸入及び獣鳥虫類の侵入防止等の目的で換気口端末に設置される屋外フードに関するものである。
【背景技術】
【０００２】
このような屋外フードにおいて、内外より風路内に侵入する雑音を吸収する方法として、カバーの内側にウレタンフォーム等の発泡樹脂等（以下、消音材と表記する）を貼設して、この消音材の内側に風路を形成する方法が広く採用されている。貼設する消音材としては、種々の厚さの部材を扱いたくないので、一般には厚さが均等のものが用いられる。このような方法により形成される風路はカバー形状と相似形のものとなる。つまり、カバー形状より一回り小さい形状の風路が形成される。これに対して、従来、吸音性能を向上させる目的で、風路形状を途中で変更させるべく、カバー形状を屈曲部近傍にて拡大したものが提案されている（例えば、特許文献１参照）。
【０００３】
また、送風機の分野においては、筒状ケース内の中心部に軸方向の風路を有する消音材を装着するとともに、この吸音材により形成される通風路をクランク状に屈曲させるものが提案されている（例えば、特許文献２参照）。
【先行技術文献】
【特許文献】
【０００４】
【特許文献１】特開２００８−５１４８８号公報
【特許文献２】特開平５−２０９６００号公報
【発明の概要】
【発明が解決しようとする課題】
【０００５】
一般に、従来のフードの消音方法としては、上記のように、消音材をフード内面に貼設し風路をフードの形状と類似した形状としている。つまり、開口部から上部までフード内部と類似した形状の風路が続く。この形態にて、遮音性能を向上させようとする場合には、消音材の厚みを増やしたり、消音材の材質を変更したりする必要がある。
【０００６】
これに対して、特許文献１に開示された方法によれば、風路形状を途中で変更することで吸音性能は向上する。しかしながら、特許文献１に開示されたものは、屈曲部の下方の部分からすでに風路が拡大しており、風路の途中で風路容積が大きく変化するので圧力損失が悪化する。さらには、特許文献１に開示されたものは、カバー形状が複雑であるので、組立性が悪いなどの課題もあった。
【０００７】
一方、特許文献２に開示された方法によれば、風路がクランク状に屈曲しているため、この屈曲部が抵抗となり圧力損失が悪化する。
【０００８】
さらにまた、一般に、換気量と騒音の低減は相反するものであり、一方の性能を向上させようとすれば、もう一方は悪化する。例えば、換気量を確保しようとすれば、流入する騒音も多くなる。その結果、騒音の低減は難しくなる。
【０００９】
本発明は、上記問題点を解決するためになされたものであり、消音材の厚みを増やす方法及び消音材の材質変更以外の方法にて、また、カバーが大型化、或いは複雑化することなく、さらには圧力損失が悪化することがなく、高い吸音性能とすることができる屋外フードを提供することを目的とする。
【課題を解決するための手段】
【００１０】
上述した課題を解決し、目的を達成するために、本発明の屋外フードは、屋内と屋外とを隔てる壁を貫通する換気口の屋外側に設置される屋外フードであって、カバーと、カバー内に装填されて風路を形成するとともに風路内に侵入する音を吸収する消音材とを備え、風路は、室外側開口と室内側開口との間に折れ曲がって形成された風路本体部と、風路本体部の内部空間が一部拡大されて形成された風路拡張部と、を含み、風路本体部は、室外側開口から第１の方向に延びる第１の風路部と、第１の風路部から第１の方向とほぼ直交する第２の方向に折れ曲がる屈曲部と、屈曲部から室内側開口に延びる第２の風路部とを有し、風路拡張部は、屈曲部の第１の風路部に対向する側に第１の方向奥に延びて形成された第１の拡張部と、屈曲部と第２の風路部との連通開口より第１の方向奥側の領域において、第１の拡張部の側部から第２の風路部と反対方向に延びて形成された第２の拡張部とを有することを特徴とする。
【発明の効果】
【００１１】
本発明の屋外フードによれば、消音材に風路本体部と風路拡張部とが形成されており、風路拡張部は、屈曲部の第１の風路部に対向する側に第１の方向奥に延びて形成された第１の拡張部と、屈曲部と第２の風路部との連通開口より第１の方向奥側の領域において、第１の拡張部の側部から第２の風路部と反対方向に延びて形成された第２の拡張部を有するので、騒音の消音材に衝突する回数が増え、減衰効果が増し、高い騒音低減効果が得られるとともに、風路本体部の流通断面積が急拡大及び急縮小することがなく、流通断面積の急拡大及び急縮小による圧力損失性能悪化の影響を削減することができる。これにより、消音材の厚みを増やす方法及び消音材の材質変更以外の方法で高い吸音性能を有する屋外フードを得ることができ、また、カバーが大型化することなく、高い吸音性能を有する屋外フードを得ることができる。
【図面の簡単な説明】
【００１２】
【図１】図１は、本発明にかかる屋外フードの外観を示す斜視図である。
【図２】図２は、風路を消音材段積みにより製作した場合の製品構造斜視図である。
【図３】図３は、給排気の気流の流れを模式的に示す横断面図である。
【図４】図４は、屋外フードの組立手順を示す斜視図である。
【図５】図５は、屋外フードの組立手順を示す斜視図である。
【図６】図６は、獣鳥虫類の侵入を防ぐためにギャラリに取り付けられる網の斜視図である。
【図７】図７は、メンテナンス時にベースプレートからカバーを取り外す様子を示す斜視図である。
【図８】図８は、メンテナンス時にカバーからギャラリを取り外す形態を示す斜視図である。
【図９】図９は、消音材によって形成された風路の様子を示す横断面図である。
【図１０】図１０は、屋外フードの背面図である。
【図１１】図１１は、図９のＡ−Ａ断面図である。
【図１２】図１２は、実施の形態１の半円形風路を消音材段積みにより製作した場合の消音材構造斜視図である。
【図１３】図１３は、実施の形態１の風路拡張部の吸音動作を示す音反射の模式図である。
【図１４】図１４は、比較のために示す第２の風路拡張部を設けない場合の吸音動作を示す音反射の模式図である。
【図１５】図１５は、屋外フードのメンテナンス時の消音材を取り外す様子を示す斜視図である。
【図１６】図１６は、音響透過損失の試験データのグラフを示す図である。
【図１７】図１７は、圧力損失特性の試験データのグラフを示す図である。
【図１８】図１８は、本発明にかかる屋外フードの実施の形態２の台形風路を形成した場合の図９のＡ−Ａに相当する断面図である。
【図１９】図１９は、台形風路を消音材段積みにより製作した場合の消音材構造斜視図である。
【図２０】図２０は、台形風路で板状消音材を貼設等にて製作した場合の製品構造斜視図である。
【図２１】図２１は、台形風路で風路を展開した形状の板状消音材にて製作した場合の製品構造斜視図である。
【図２２】図２２は、本発明にかかる屋外フードの実施の形態３の四角形風路を形成した場合の図９のＡ−Ａに相当する断面図である
【図２３】図２３は、四角形風路を消音材段積みにより製作した場合の消音材構造斜視図である。
【図２４】図２４は、四角形風路で板状消音材を貼設等にて製作した場合の製品構造斜視図である。
【図２５】図２５は、四角形風路で風路を展開した形状の板状消音材にて製作した場合の製品構造斜視図である。
【発明を実施するための形態】
【００１３】
以下に、本発明にかかる屋外フードの実施の形態を図面に基づいて詳細に説明する。なお、この実施の形態によりこの発明が限定されるものではない。
【００１４】
実施の形態１．
図１は、本発明にかかる屋外フードの外観を示す斜視図である。図２は、風路を消音材段積みにより製作した場合の製品構造斜視図である。図３は、給排気の気流の流れを模式的に示す横断面図である。図において、屋内と屋外とを隔てる壁７に、この壁７を貫通するように円筒状の換気口７ｃが開口している（図３）。この換気口７ｃには、一般に換気口７ｃと同形状の円筒状のダクト（図示しない）が配設されている。本実施の形態の屋外フード１は、このような換気口７ｃの（ダクトの）屋外側の壁面に設置される。
【００１５】
図２に示すように、本実施の形態の屋外フード１は、換気口７ｃの屋外側の端部を覆うベースプレート３と、このベースプレート３に組み合わされて屋外フード１と換気口７ｃとを連結するパイプガイド２と、ベースプレート３に着脱自在に取り付けられて換気口７ｃを覆い屋外フード１の外殻を構成する概略箱状のカバー１ａと、このカバー１ａ内に装填されて内部に風路を形成する消音材１０と、獣鳥虫類の侵入低減及び気流方向の制御を行うギャラリ４とによって構成されている。カバー１ａは、概略２面を開放する直方体箱状を成し、一方の開放面を壁７側に向けて換気口７ｃを覆い、他方の開放面を鉛直下方に向けてベースプレート３に取り付けられる。消音材１０は、この直方体箱状のカバー１ａの内部に所定形状の風路を形成するように詰め込まれる。この風路の形状については後述する。
【００１６】
このようにして、換気口７ｃに接続される屋外フード１は、換気口７ｃからの雨水浸入、獣鳥虫類の侵入防止等の目的で設置されるものであり、室内への外気の給気、又は室外側への室内空気の排気を行う際、図３に矢印Ｙとして示すような給排気の気流を形成する。屋外フード１の施工方法としては、換気口７ｃにあらかじめ配管されているダクトに屋外フード１を取り付け、次いで、雨水浸入防止のために、屋外フード１と壁７とが接する換気口７ｃの開口縁部７ａ、７ｂにコーキング処理を施すという手順により行われる。
【００１７】
図４及び図５は、屋外フード１の組立手順を示す斜視図である。図６は、獣鳥虫類の侵入を防ぐためにギャラリ４に取り付けられる網の斜視図である。図７は、メンテナンス時にベースプレート３からカバー１ａを取り外す様子を示す斜視図である。図８は、メンテナンス時にカバー１ａからギャラリ４を取り外す他の形態を示す斜視図である。屋外フード１は、図４及び図５に示すように、パイプガイド２とベースプレート３を一体化したベースプレート組立品６に、カバー１ａとギャラリ４とを取り付けて組み立てられている。また、獣鳥虫類の多い場所で使用する場合には、それらの侵入を防ぐためにギャラリ４にさらに図６に示すような網５が取り付けられる。
【００１８】
図７はカバー１ａとギャラリ４若しくは網５が一体になっている場合のベースプレートからカバーを取り外す様子を示しており、カバー１ａは、ねじ止めされた下部を外し、次いで下部を手前に引き出すように回動させて上部係合部を外すと、ベースプレート３から外れる。図８はカバー１ａとベースプレート３が一体になっている場合のカバーからギャラリを取り外す様子を示しており、ギャラリ４は、ねじ止めされた手前側を外し、次いで奥側の係合部を外すと、カバー１ａから外れる。どちらの場合もメンテナンスが容易となるようにされている。
【００１９】
次に、消音部材を入れた換気口のフードの構造を説明する。図９は、消音材１０によって形成された風路の様子を示す横断面図である。図１０は、屋外フード１の背面図である。図１１は、図９のＡ−Ａ断面図である。図９乃至１１において、建物の壁７に開口する円筒状の換気口７ｃの開口縁周囲を覆う様にベースプレート３が設置され、このベースプレート３の中央部開口を覆う様にしてカバー１ａが取り付けられる。カバー１ａは、上記のように２面を開放する直方体箱状を成し、下面が開放されている。この開放されたカバー１ａの下面にギャラリ４または網５が配設されている。カバー１ａの内側に消音材１０が装填されている。消音材１０は、箱状のカバー１ａ内部に風路９を形成している。消音材１０には、発泡スチロール製消音材、発泡ウレタン製消音材、発泡ポリエチレン製消音材、ゴム製消音材、及び、グラスウール消音材等の材料が用いられる。消音材１０は、カバー１ａ内部の風路９以外の部分に隙間なく詰め込まれている。
【００２０】
風路９は、空気を流通させる本来の機能をはたす風路本体部（９ａ，９ｂ，９ｄ）と、この風路本体部に消音性能を高める目的で付加された風路拡張部（９ｃ，９ｆ）とから構成されている。ギャラリ４または網５は、カバー１ａの下部にて消音材１０を支えており、消音材１０の支持手段を構成している。消音材１０には、ギャラリ４を介して室外空間に臨む室外側開口と、パイプガイド２を介して室内空間に通じる室内側開口が形成されている。
【００２１】
風路９について詳細に説明する。風路９は、上記のように風路本体部（９ａ，９ｂ，９ｄ）と風路拡張部（９ｃ，９ｆ）とから構成されている。さらに、風路本体部は、第１の風路部９ａ、屈曲部９ｂ、第２の風路部９ｄの３つの通路部より構成されている。すなわち、風路本体部は、室外側開口から上方（第１の方向）に延びる第１の風路部９ａと、第１の風路部９ａから第１の方向とほぼ直交する第２の方向に折れ曲がる屈曲部９ｂと、屈曲部９ｂから室内側開口に延びる第２の風路部９ｄとから構成されている。
【００２２】
第１の風路部９ａは、排気又は給気と同時に外気と騒音が浸入してくる部分であり、断面半円形状にすることで同一の入射角の音でも半円部への入射位置により反射方向が変わるため、浸入してきた騒音を乱反射させる効果がある。屈曲部９ｂは、排気の場合は室外側へ搬送されてきた室内空気が屋外方向に曲がる部分であり、給気の場合は室内へ搬送される外気が室内側へ曲がる部分であり、第２の風路部９ｄにつながる連通開口９ｅが形成されている。図１０に示すように第２の風路部９ｄの流通断面形状は、パイプガイド２の流通断面形状より小さくされている。風路９には外気と同時に騒音も浸入するため、第２の風路部９ｄの断面をパイプガイド２より小さくすることで騒音の浸入を減少させている。
【００２３】
風路拡張部（９ｃ，９ｆ）は、侵入してきた騒音を減衰させる部分で、屈曲部９ｂの屋外側開口に対向する風路９の上方（奥側）に設けられて、第１の風路部９ａ、屈曲部９ｂよりも断面積を大きくして形成されている。すなわち、風路拡張部は、屈曲部９ｂの第１の風路部９ａに対向する側（屈曲部９ｂの第１の風路部９ａと反対側）を上方（第１の方向）奥側に延長するようにして形成された第１の拡張部９ｃと、屈曲部９ｂと第２の風路部９ｄとの連通開口９ｅの開口縁部上端の高さ位置より上方（第１の方向奥側）の領域において、第１の拡張部９ｃから第２の風路部９ｄと反対方向に断面形状を広げるようにして形成された第２の拡張部９ｆとから構成されている。
【００２４】
次にこのような風路９を内部に形成する消音材１０の製作方法について説明する。図１２は、半円形風路を消音材段積みにより製作した場合の消音材構造斜視図である。消音材１０は、第１の風路部９ａとなる半円形の中央穴が形成された概略Ｄ型の平板状の２枚の部材１０ａと、屈曲部９ｂ及び第２の風路部９ｄとなる半円の直線の辺側が切れて開口した切り欠きが形成された概略Ｕ型の平板状の２枚の部材１０ｂと、風路拡張部（９ｃ，９ｆ）となる矩形の中央穴が形成された概略Ｄ型の平板状の１枚の部材１０ｃと、中央穴も切り欠きも形成されてない平板状の１枚の部材１０ｄとが積み重ねられて相互に貼り合わせられて作製されている。このようにして作製された消音材１０は、カバー１ａに貼着されることなくカバー１ａ内に押し込まれて装填される。
【００２５】
次に、本実施の形態の風路拡張部（９ｃ，９ｆ）の動作を説明する。図１３は、本実施の形態の風路拡張部の吸音動作を示す音反射の模式図である。図１４は、比較のために示す第２の拡張部９ｆを設けない場合の吸音動作を示す音反射の模式図である。外部の騒音Ｘは、屋外フード１のギャラリ４又は網５の形成する室外側開口を通して風路９に侵入する。風路９に侵入した騒音Ｘは、消音材１０に衝突してはね返り、これを繰り返しながら徐々に減衰して風路９の奥へと進む。そして、風路９のもっとも奥に設けられた風路拡張部（９ｃ，９ｆ）に到達する。風路拡張部は、断面積を大きくされた第２の拡張部９ｆを有するので、騒音Ｘの消音材１０に衝突する回数が増え、減衰効果が増し、第２の拡張部９ｆを設けない場合よりも高い騒音低減効果が得られる。さらに、風路拡張部（９ｃ，９ｆ）は、屈曲部９ｂと第２の風路部９ｄとの連通開口９ｅより上方（第１の方向奥側）の領域に形成されているので、つまり、屈曲部９ｂの第２の風路部９ｄに対向する内壁面が、風路拡張部として凹むことがないため、風路本体部（９ａ，９ｂ，９ｄ）の流通断面積が急拡大及び急縮小することがなく、流通断面積の急拡大及び急縮小による圧力損失性能悪化の影響を削減することができる。なお、このとき風路本体部（９ａ，９ｂ，９ｄ）の流通断面積を、全長にわたってほぼ一定とすることにより、より良く効果を引き出すことができる。
【００２６】
次に消音材１０の固定方法について説明する。図１５は、屋外フードのメンテナンス時の消音材１０を取り外す様子を示す斜視図である。消音材１０は、カバー１ａに直接貼設する方法が一般的であるが、貼設を行うとメンテナンス時に取り外しができず、作業性が悪くメンテナンス作業による消音材の損傷という懸念もあることから、本実施の形態においては、消音材１０を貼設せずにカバー１ａの中に収納する構造としている。すなわち、消音材１０の固定方法として、カバー１ａとギャラリ４又は網５を一体化したフード組立体１１内に、消音材１０を挿入する構造とし、消音材１０が容易に取り外せるようにしている。
【００２７】
図１６は、音響透過損失の試験データのグラフを示す図である。横軸が中心周波数［Ｈｚ］、縦軸が基準化音響透過損失［ｄＢ］を表している。図中実線は、本実施の形態、つまり、図１３に示す第２の拡張部９ｆを設けたもの（上部で風路形状変化）のデータであり、破線は、図１４に示す第２の拡張部９ｆを設けないもの（風路形状変化なし）のデータを示している。ここで、音響透過損失とは、試験体に音が入射したとき、音のエネルギーがどの程度抜けていくか（透過）を示す量のことを言う。図１６に示すように、風路上部の形状を変化させることにより、３１５〜１ｋ[Ｈｚ]の遮音性能が大幅に改善されることが分かる。この周波数帯は人間の聴覚で聞き取れる周波数であり、騒音低減としての効果が高い。
【００２８】
図１７は、圧力損失特性の試験データのグラフを示す図である。図中実線は、本実施の形態、つまり、図１３に示す第２の拡張部９ｆを設けたもの（上部で風路形状変化）のデータであり、破線は、図１４に示す第２の拡張部９ｆを設けないもの（風路形状変化なし）のデータを示している。図１７においては、本実施の形態のように、第２の拡張部９ｆを、屈曲部９ｂと第２の風路部９ｄとの連通開口９ｅより上方の領域に設けることで、風路の形状変化における圧力損失性能の悪化を最小限にとどめられることが示されている。
【００２９】
上記の風路９の第１の風路部９ａの断面形状は半円形状を基本形状としているが、例えば実施の形態２及び３で説明する台形や四角形といった断面形状でも風路拡張部を設けることにより同様の効果が得られる。
【００３０】
実施の形態２．
図１８は、本発明にかかる屋外フードの実施の形態２の台形風路を形成した場合の図９のＡ−Ａに相当する断面図である。図１９は、台形風路を消音材段積みにより製作した場合の消音材構造斜視図である。本実施の形態の風路９は、第１の風路部９ａと屈曲部９ｂの第２の風路部９ｄと反対側となる内壁面が、断面台形となっている。その他の構成は実施の形態１と同様である。
【００３１】
図１９において、本実施の形態の消音材は、第１の風路部９ａとなる台形の中央穴が形成された概略Ｄ型の平板状の２枚の部材１０ｅと、屈曲部９ｂ及び第２の風路部９ｄとなる台形の長辺側が切れて開口した切り欠きが形成された概略Ｕ型の平板状の２枚の部材１０ｆと、風路拡張部（９ｃ，９ｆ）となる矩形の中央穴が形成された概略Ｄ型の平板状の１枚の部材１０ｇと、中央穴も切り欠きも形成されてない平板状の１枚の部材１０ｈとが積み重ねて構成されている。このように風路９を形成することにより、実施の形態１と同様に、屈曲部９ｂと第２の風路部９ｄとの連通開口９ｅより上方（第１の方向奥側）の領域に、風路拡張部（９ｃ，９ｆ）が構成される。本実施の形態の断面が台形形状の台形風路においても概略実施の形態１と同様の効果を得ることができる。
【００３２】
以下に台形風路の他の作成方法を２例示す。図２０は、台形風路で板状消音材を貼設等にて製作した場合の製品構造斜視図である。すなわち、側面の風路形状に合うように切断された部材２０ａ、２０ｂと天面に配置する部材２０ｅと、ベースプレート側に配置する部材２０ｆと、カバー正面側に配置する部材２０ｃと上部の空間部を形成する為に配置する部材２０ｄで構成した例である。部材２０ｃに部材２０ｄを貼説して段差をつけることにより風路拡張部を形成し、消音効果を高めている。このような作製方法であっても、図１９に示した作製方法と実質的に同様な風路９を形成することができる。
【００３３】
図２１は、台形風路で風路を展開した形状の板状消音材にて製作した場合の製品構造斜視図である。つまり、図２１は風路を展開した形状の平板状の消音材を風路が上部の風路拡張部へと形状変化する部分を境目とし、その境目で消音材を分割して製作し、カバーに入れて風路を形成した例を示す。上部の風路拡張部側の部材３０ａと、風路拡張部より下側の部材３０ｂと、ベースプレート側に配置する部材３０ｃで構成した例である。部材３０ａの板厚を部材３０ｂより薄くすることにより風路拡張部を形成し、消音効果を高めている。このような作製方法であっても、図１９に示した作製方法と実質的に同様な風路９を形成することができる。
【００３４】
実施の形態３．
図２２は、本発明にかかる屋外フードの実施の形態３の四角形風路を形成した場合の図９のＡ−Ａに相当する断面図である。図２３は、四角形風路を消音材段積みにより製作した場合の消音材構造斜視図である。本実施の形態の風路９は、第１の風路部９ａと屈曲部９ｂの第２の風路部９ｄと反対側となる内壁面が、断面四角形となっている。その他の構成は実施の形態１と同様である。
【００３５】
図２３において、本実施の形態の消音材は、第１の風路部９ａとなる四角形の中央穴が形成された概略Ｄ型の平板状の２枚の部材１０ｊと、屈曲部９ｂ及び第２の風路部９ｄとなる四角形の一方の長辺側が切れて開口した切り欠きが形成された概略Ｕ型の平板状の２枚の部材１０ｋと、風路拡張部（９ｃ，９ｆ）となる矩形の中央穴が形成された概略Ｄ型の平板状の１枚の部材１０ｍと、中央穴も切り欠きも形成されてない平板状の１枚の部材１０ｎとが積み重ねて構成されている。このように風路９を構成することにより、実施の形態１と同様に、屈曲部９ｂと第２の風路部９ｄとの連通開口９ｅより上方（第１の方向奥側）の領域に、風路拡張部（９ｃ，９ｆ）が形成される。本実施の形態の断面が四角形形状の四角形風路においても概略実施の形態１と同様の効果を得ることができる。
【００３６】
以下に四角形風路の他の作成方法を２例示す。図２４は、四角形風路で板状消音材を貼設等にて製作した場合の製品構造斜視図である。すなわち、側面の風路形状に合うように切断された部材２０ｇ、２０ｈと天面に配置する部材２０ｍと、ベースプレート側に配置する部材２０ｎと、カバー正面側に配置する部材２０ｊと上部の空間部を形成する為に配置する部材２０ｋで構成した例である。部材２０ｊに部材２０ｋを貼設して段差をつけることにより風路拡張部（９ｃ，９ｆ）を形成し、消音効果を高めている。このような作製方法であっても、図１９に示した作製方法と実質的に同様な風路９を形成することができる。
【００３７】
図２５は、四角形風路で風路を展開した形状の板状消音材にて製作した場合の製品構造斜視図である。図２５は風路を展開した形状の平板状の部材を風路が上部の風路拡張部へと形状変化する部分を境目とし、その境目で部材を分割して製作し、カバーに入れて風路を形成した例を示す。上部の風路拡張部側の部材３０ｄと、風路拡張部より下側の部材３０ｅと、ベースプレート側に配置する部材３０ｆで構成している。部材３０ｄの板厚を部材３０ｅより薄くすることにより風路拡張部を形成し、消音効果を高めている。このような作製方法であっても、図１９に示した作製方法と実質的に同様な風路９を形成することができる。
【００３８】
以上のように、上記実施の形態の何れかの方法を用いて風路を形成することにより、本実施の形態の特徴を有する風路拡張部をもつ風路を、カバーの形状を変えることなく、すなわち、従来の消音材を装備してないカバーから設計変更することなく、このカバー内部に形成することができる。つまり、どのような形状のカバーであっても、本実施の形態のような所定形状の複数の消音材を用いることで風路拡張部をもつ風路を形成することができ、これにより、騒音低減効果を向上させることが可能となる。新規にカバーを製作しなくても、既存のカバーを使用して実現することができるので、製品製作に関わる費用削減を図ることができる。
【産業上の利用可能性】
【００３９】
以上のように、本発明にかかる外気フードは、騒音の激しいマンション等の換気口に設置される外気フードに適用されて最適なものである。
【符号の説明】
【００４０】
１  屋外フード
１ａ  カバー
２  パイプガイド
３  ベースプレート
４  ギャラリ
５  網
６  ベースプレート組立品
７ａ  開口縁部
７ｃ  換気口
７  壁
９  風路
９ａ  第１の風路部
９ｂ  屈曲部
９ｃ  第１の拡張部
９ｄ  第２の風路部
９ｅ  連通開口
９ｆ  第２の拡張部
１０  消音材
１０ａ〜１０ｎ  消音材の部材
１１  フード組立体
２０ａ〜２０ｎ  消音材の部材
３０ａ〜３０ｆ  消音材の部材
【図１】
2010266156.tif 000003
【図２】
2010266156.tif 000004
【図３】
2010266156.tif 000005
【図４】
2010266156.tif 000006
【図５】
2010266156.tif 000007
【図６】
2010266156.tif 000008
【図７】
2010266156.tif 000009
【図８】
2010266156.tif 000010
【図９】
2010266156.tif 000011
【図１０】
2010266156.tif 000012
【図１１】
2010266156.tif 000013
【図１２】
2010266156.tif 000014
【図１３】
2010266156.tif 000015
【図１４】
2010266156.tif 000016
【図１５】
2010266156.tif 000017
【図１６】
2010266156.tif 000018
【図１７】
2010266156.tif 000019
【図１８】
2010266156.tif 000020
【図１９】
2010266156.tif 000021
【図２０】
2010266156.tif 000022
【図２１】
2010266156.tif 000023
【図２２】
2010266156.tif 000024
【図２３】
2010266156.tif 000025
【図２４】
2010266156.tif 000026
【図２５】
2010266156.tif 000027